(57)【要約】      （修正有）【課題】建物の天井を外さずに設置作業を行うことが可能であるとともに、スプリンクラー配管内の水道水が滞留することを防止することができる水道連結型のスプリンクラー装置を提供する。【解決手段】水道水を噴射するスプリンクラー本体を天井の上側に設置する水道連結型のスプリンクラー装置３０において、複数のスプリンクラー配管のうち長いスプリンクラー配管に発生する滞留水を防止するために当該スプリンクラー配管に水道水を優先的に流すようにした滞留水防止手段を備える。【選択図】図３
2013075122.tif 000002
【特許請求の範囲】
【請求項１】
水道水を噴射するスプリンクラー本体を天井の上側に設置する水道連結型のスプリンクラー装置において、
前記スプリンクラー本体が途上に設けられ、少なくとも１つの長さが他の長さよりも長く形成された複数のスプリンクラー配管と、
水道管に流れる水道水を前記複数のスプリンクラー配管に分配する分配ヘッダーと、
前記複数のスプリンクラー配管に流れる水道水を再び集約する集約ヘッダーと、
前記集約ヘッダーにて集約された水道水を吐水する吐水部に供給する供給配管と、を備え、
前記複数のスプリンクラー配管のうち長いスプリンクラー配管に発生する滞留水を防止するために当該スプリンクラー配管に水道水を優先的に流すようにした滞留水防止手段を備えることを特徴とする水道連結型のスプリンクラー装置。
【請求項２】
前記複数のスプリンクラー配管は、スプリンクラー配管の半径が同一半径であって、前記滞留水防止手段は、前記長いスプリンクラー配管以外のスプリンクラー配管に設けられ、当該スプリンクラー配管の流量を減少させる流量減少手段を備えることによって、前記長いスプリンクラー配管に水道水を優先的に流すように構成したことを特徴とする請求項１に記載の水道連結型のスプリンクラー装置。
【請求項３】
前記流量減少手段は、前記長いスプリンクラー配管以外のスプリンクラー配管内を開度調整して前記スプリンクラー配管の流量を下げる開度調整弁であることを特徴とする請求項２に記載の水道連結型のスプリンクラー装置。
【請求項４】
前記流量減少手段は、前記長いスプリンクラー配管以外のスプリンクラー配管の流量を一定流量にする定流量弁であることを特徴とする請求項２に記載の水道連結型のスプリンクラー装置。
【請求項５】
前記流量減少手段は、前記長いスプリンクラー配管以外のスプリンクラー配管内の流路抵抗を高めることで前記スプリンクラー配管の流量を下げる流路抵抗部であることを特徴とする請求項２に記載の水道連結型のスプリンクラー装置。
【請求項６】
前記滞留水防止手段は、前記長いスプリンクラー配管以外のスプリンクラー配管に設けられ、当該スプリンクラー配管の流量を定期的に止める流量停止手段であることによって、前記長いスプリンクラー配管に水道水を優先的に流すように構成したことを特徴とする請求項１に記載の水道連結型のスプリンクラー装置。
【請求項７】
前記滞留水防止手段は、前記長いスプリンクラー配管に設けられ、当該スプリンクラー配管の流量を強制的に増加させる流量増加手段であることによって、前記長いスプリンクラー配管に水道水を優先的に流すように構成したことを特徴とする請求項１に記載の水道直結型のスプリンクラー装置。
【発明の詳細な説明】
【技術分野】
【０００１】
本発明は、水道連結型のスプリンクラー装置に関し、特に、既設の建物に設置される水道連結型のスプリンクラー装置にする。
【背景技術】
【０００２】
火災を自動的に検出して天井等から散水することにより火災を抑制するスプリンクラー装置が知られている。従来のスプリンクラー装置は、水を噴射するスプリンクラーヘッドと、スプリンクラーヘッドに水を供給するために天井裏に配置されるスプリンクラー配管と、を有している。
【０００３】
近年、防災に対する関心の高まりにより既設の建物に従来のスプリンクラー装置を追加する工事が増加している。スプリンクラー装置を新築に際して設置する場合には問題ないものの、スプリンクラー装置を既設の建物に設置する場合には、建物に入居している入居者に配慮して、設置作業を最小限にとどめて行わなければならないが、建物の天井を一度外して設置作業を行う必要があった。
【０００４】
そこで、従来は、この問題を解決するため、例えば、特許文献１に記載されているように、水道連結型のスプリンクラー装置が提案されている。特許文献１の水道直結型のスプリンクラー装置は、複数のスプリンクラー配管７の末端を全てヘッド同士接続管８で接続し、ヘッド同士接続管８と給水栓１１とを接続することによって、天井裏の設置作業を簡略し、建物の天井を外さずに設置作業を行うようにしている。
【先行技術文献】
【特許文献】
【０００５】
【特許文献１】特開２０１０−０４６３７０号公報
【発明の概要】
【発明が解決しようとする課題】
【０００６】
しかしながら、特許文献１の水道直結型のスプリンクラー装置は、天井裏の設置作業を簡略するように工夫されるものの、スプリンクラー配管内の圧力損失について考慮されていないため、例えば、複数のスプリンクラー配管７の長さが異なる場合には、夫々のスプリンクラー配管内の圧力損失に差が生じてしまい、圧力損失が大きいスプリンクラー配管内の水道水はほとんど流れずに滞留することが考えられるので、衛生上好ましくない。
【０００７】
本発明が解決しようとする課題は、建物の天井を外さずに設置作業を行うことが可能であるとともに、スプリンクラー配管内の水道水が滞留することを防止することができる水道連結型のスプリンクラー装置を提供することを目的とする。
【課題を解決するための手段】
【０００８】
上記課題を解決するために本発明に係る水道連結型のスプリンクラー装置は、水道水を噴射するスプリンクラー本体を天井の上側に設置する水道連結型のスプリンクラー装置において、前記スプリンクラー本体が途上に設けられ、少なくとも１つの長さが他の長さよりも長く形成された複数のスプリンクラー配管と、水道管に流れる水道水を前記複数のスプリンクラー配管に分配する分配ヘッダーと、前記複数のスプリンクラー配管に流れる水道水を再び集約する集約ヘッダーと、前記集約ヘッダーにて集約された水道水を吐水する吐水部に供給する供給配管と、を備え、前記複数のスプリンクラー配管のうち長いスプリンクラー配管に発生する滞留水を防止するために当該スプリンクラー配管に水道水を優先的に流すようにした滞留水防止手段を備えることを特徴とする。
【０００９】
本発明によれば、複数のスプリンクラー配管に流れる水道水を再び集約する集約ヘッダーを備えたので、建物の天井を外さずに設置作業を行うことが可能であるとともに、スプリンクラー配管に発生する滞留水を防止する滞留水防止手段を備えたので、スプリンクラー配管内の水道水が滞留することを防止することができる。
【００１０】
また、本発明に係る水道連結型のスプリンクラー装置では、前記複数のスプリンクラー配管は、スプリンクラー配管の半径が同一半径であって、前記滞留水防止手段は、前記長いスプリンクラー配管以外のスプリンクラー配管に設けられ、当該スプリンクラー配管の流量を減少させる流量減少手段を備えることによって、前記長いスプリンクラー配管に水道水を優先的に流すように構成したことも好ましい。
【００１１】
この好ましい態様では、長いスプリンクラー配管以外のスプリンクラー配管の流量を減少させ、長いスプリンクラー配管に水道水を優先的に流すように構成したので、圧力損失が異なる複数のスプリンクラー配管の流量をそれぞれ適正な流量に近づくようになり、スプリンクラー配管内の水道水が滞留することを防止することができる。
【００１２】
また、本発明に係る水道連結型のスプリンクラー装置では、前前記流量減少手段は、前記長いスプリンクラー配管以外のスプリンクラー配管内を開度調整して前記スプリンクラー配管の流量を下げる開度調整弁であることも好ましい。
【００１３】
この好ましい態様では、流量減少手段がスプリンクラー配管の流量を開度調整して下げる開度調整弁であるので、スプリンクラー装置が設置された現場でスプリンクラー配管の流量を現場に適した流量に開度調整させ、スプリンクラー配管内の水道水が滞留することをより防止することができる。
【００１４】
また、本発明に係る水道連結型のスプリンクラー装置では、前記流量減少手段は、前記長いスプリンクラー配管以外のスプリンクラー配管の流量を一定流量にする定流量弁であることも好ましい。
【００１５】
この好ましい態様では、流量減少手段がスプリンクラー配管の流量を一定流量に下げる定流量弁であるので、圧力損失が異なる複数のスプリンクラー配管の流量を簡易な構成でそれぞれ適正な流量に近づくようになり、スプリンクラー配管の水道水が滞留することをより防止することができる。また、定流量弁は、スプリンクラー配管の外側に設けられずにスプリンクラー配管内に設けられるので、天井パネルの上側の限られたスペースに設置する際に、定流量弁が邪魔にならずスプリンクラー配管をそのまま設置できるようになるため、天井パネルの上側の設置作業をより簡略することができる。
【００１６】
また、本発明に係る水道連結型のスプリンクラー装置では、前記流量減少手段は、前記長いスプリンクラー配管以外のスプリンクラー配管内の流路抵抗を高めることで前記スプリンクラー配管の流量を下げる流路抵抗部であることも好ましい。
【００１７】
この好ましい態様では、流量減少手段がスプリンクラー配管内の流路抵抗を高める流路抵抗部であるので、簡易な構成で長いスプリンクラー配管以外のスプリンクラー配管の流量を減少させることができる。
【００１８】
また、本発明に係る水道連結型のスプリンクラー装置では、前前記滞留水防止手段は、前記長いスプリンクラー配管以外のスプリンクラー配管に設けられ、当該スプリンクラー配管の流量を定期的に止める流量停止手段であることによって、前記長いスプリンクラー配管に水道水を優先的に流すように構成したことも好ましい。
【００１９】
この好ましい態様では、滞留水防止手段がスプリンクラー配管の流量を定期的に止める流量停止手段であるので、長いスプリンクラー配管以外のスプリンクラー配管の流量を定期的に止め、圧力損失が大きいスプリンクラー配管に水道水がより確実に流れるようになり、スプリンクラー配管内の水道水が滞留することをより防止することができる。
【００２０】
また、本発明に係る水道連結型のスプリンクラー装置では、前記滞留水防止手段は、前記長いスプリンクラー配管に設けられ、当該スプリンクラー配管の流量を強制的に増加させる流量増加手段であることによって、前記長いスプリンクラー配管に水道水を優先的に流すように構成したことも好ましい。
【００２１】
この好ましい態様では、滞留水防止手段がスプリンクラー配管の流量を強制的に増加させる流量増加手段であるので、長いスプリンクラー配管に水道水がより確実に流れるようになり、スプリンクラー配管内の水道水が滞留することをより防止することができる。
【発明の効果】
【００２２】
本発明の水道連結型のスプリンクラー装置によれば、建物の天井を外さずに設置作業を行うことが可能であるとともに、スプリンクラー配管内の水道水が滞留することを防止することができる。
【図面の簡単な説明】
【００２３】
【図１】スプリンクラー本体の固定構造を示す正面図である。
【図２】図１に示す固定構造の平面図である。
【図３】本発明の実施形態である水道直結型のスプリンクラー装置を示す概略構成図である。
【図４】変形例である水道直結型のスプリンクラー装置を示す概略構成図である。
【図５】変形例である水道直結型のスプリンクラー装置を示す概略構成図である。
【図６】変形例である水道直結型のスプリンクラー装置を示す概略構成図である。
【発明を実施するための形態】
【００２４】
以下、添付図面を参照しながら本発明の実施の形態について説明する。説明の理解を容易にするため、各図面において同一の構成要素に対しては可能な限り同一の符号を付して、重複する説明は省略する。
【００２５】
図１、２に示すように、水道水を噴射するスプリンクラー本体２のための固定構造１は、天井パネル４と、天井パネル４を上側から保持する野縁６、７と、スプリンクラー本体２からの散水及びその取付けのために天井パネル４に形成される開口８と、スプリンクラー本体２を固定する固定装置１０と、を有しており、スプリンクラー本体２を、天井パネル４の下側からの作業によって、前記天井パネル４の上側に設置する構成となっている。尚、天井パネル４は、例えば、石膏ボード、コンパネ等で作られた厚さが約９〜２５ｍｍの板材である。天井パネル４は、野縁６、７にビス等によって固定されている。
【００２６】
野縁６、７は、互いに平行に天井パネル４に沿って延びる複数の棒状の部材である。野縁６、７は、引掛け部を有する鋼材で作られていることが好ましい。また、開口８の形状及び寸法は、スプリンクラー本体２による散水が可能であれば、任意である。例えば、開口８は、円形であり、その直径は、４０〜６０ｍｍである。
【００２７】
スプリンクラー本体２は、取付け部材１２の下側に配置されるスプリンクラーヘッド１４に向かって取付け部材１２の上側から下側に延び且つ取付け部材１２に固定されるスプリンクラー配管１６と、を有している。詳細には、スプリンクラー配管１６は、大部分が取付け部材１２の上側に位置した状態で固定された配管接続部１８と、天井パネルに沿って延びる樹脂製のホース２０を有している。
【００２８】
配管接続部１８は、好ましくは、停滞水防止継手である。停滞水防止継手１８は、概略的には、Ｔ字形をなし、下方に延びる下方管状部分１８ａと、側方に延びる２つの側方管状部分１８ｂとを有している。下方管状部分１８ａは、取付け部材１２の貫通孔２２の中を下方に延びる延長部１８ｄを有している。スプリンクラーヘッド１４は、延長部分１８ｄに当接して位置決めされることが好ましい。
【００２９】
樹脂製のホース２０は、さや管２４に入れられていることが好ましく、接続ポート２６ａ、２６ｂに接続されている。また、停滞水防止継手１８及びそれとホース２０との接続部の周りに、保温カバー２８が設けられていることが好ましい。保温カバー２８は、２つ割りになっており、停滞水防止継手１８を挟むように覆うことが可能である。保温カバー２８は、例えば、発泡ポリスチレンで作られている。
【００３０】
スプリンクラー配管１６は、取付け部材１２よりも上側に位置するいくつかの箇所に、配管作業を行う配管作業箇所２９を有している。本実施形態では、配管作業箇所２９は、停滞水防止継手１８を取付け部材１２に取付ける箇所、樹脂製のホースを接続ポート２６ａ、２６ｂに接続する箇所、保温カバー２８を取付ける箇所等である。
【００３１】
本発明の実施形態であるスプリンクラー装置３０は、水道管３２に流れる水道水を複数のスプリンクラー配管１６に分配する分配ヘッダー３４と、複数のスプリンクラー配管１６に流れる水道水を再び集約する集約ヘッダー３６と、集約ヘッダー３６にて集約された水道水を吐水する吐水部３８に供給する供給配管４０と、を備えている。
【００３２】
また、複数のスプリンクラー配管１６には、スプリンクラー本体２が途上に設けられ、少なくとも１つのスプリンクラー配管１６の長さが他のスプリンクラー配管１６の長さよりも長く、複数のスプリンクラー配管１６のうち長いスプリンクラー配管１６に水道水を優先的に流すことによって、当該スプリンクラー配管１６に発生する滞留水を防止する滞留水防止手段４２を備えている。
【００３３】
また、本発明の実施形態である水道連結型のスプリンクラー装置３０は、滞留水防止手段３０が、長いスプリンクラー配管１６以外のスプリンクラー配管１６に設けられ、当該スプリンクラー配管１６の流量を減少させる流量減少手段４４を備えることによって、圧力損失が大きいスプリンクラー配管１６に水道水を優先的に流すように構成している。
【００３４】
図３に示すように、流量減少手段４４が、長いスプリンクラー配管１６以外のスプリンクラー配管１６に設けられ、当該スプリンクラー配管１６の流量を開度調整して下げる開度調整弁４６であることが好ましい。この構成によって、スプリンクラー装置３０が設置された現場でスプリンクラー配管１６の流量を現場に適した流量に開度調整させ、スプリンクラー配管１６内の水道水が滞留することをより防止することができるようになる。尚、開度調整弁４６は、圧力損失が大きいスプリンクラー配管１６に水道水を優先的に流すものであれば、圧力損失が大きいスプリンクラー配管１６以外のスプリンクラー配管１６に少なくとも１つ以上設けられるものでもよい。また、開度調整弁４６は、複数のスプリンクラー配管１６のすべてに設けられるものであっても、圧力損失が大きいスプリンクラー配管１６以外の流量を開度調整して下げ、圧力損失が大きいスプリンクラー配管１６に水道水を優先的に流せればよい。
【００３５】
例えば、複数のスプリンクラー配管１６に開度調整弁４６としてのグローブバルブを設置した場合、まずすべてのグローブバルブを開とし、次に最も流量の多いスプリンクラー配管１６のグローブバルブを少しずつ閉とし、最も流量の少ないスプリンクラー配管１６が滞留しない開度に流量の多いスプリンクラー配管１６を調整する。その際に最も流量の大きなスプリンクラー配管１６のグローブバルブだけでなく、その他の流量の大きなスプリンクラー配管１６のグローブバルブも絞っていってもよい。グローブバルブは、スプリンクラー配管１６からの取り外しが容易であり、簡易な構成にすることができるという良さもある。
【００３６】
特に、図４に示すように、流量減少手段４４が、長いスプリンクラー配管１６以外のスプリンクラー配管１６内に設けられ、当該スプリンクラー配管１６の流量を一定流量に下げる定流量弁４８であることが好ましい。この構成によって、圧力損失が異なる複数のスプリンクラー配管１６の流量を簡易な構成でそれぞれ適正な流量に近づくようになり、スプリンクラー配管１６の水道水が滞留することをより防止することができる。定流量弁４８が、長いスプリンクラー配管１６以外のスプリンクラー配管１６内に設けられることによって、流量の大きなスプリンクラー配管１６の流量は減り、流量の少ないスプリンクラー配管１６の流量は増え、各スプリンクラー配管１６の流量がほぼ均一となり滞留を防ぐことができる。尚、定流量弁４８は、長いスプリンクラー配管１６に水道水を優先的に流すものであれば、長いスプリンクラー配管１６以外のスプリンクラー配管１６に少なくとも１つ以上設けられるものでもよい。また、定流量弁４８は、複数のスプリンクラー配管１６のすべてに設けられるものであっても、長いスプリンクラー配管１６以外を一定流量に下げ、長いスプリンクラー配管１６に水道水を優先的に流せればよい。
【００３７】
また、定流量弁４８がスプリンクラー配管１６内に設けられるので、スプリンクラー配管１６を天井パネル４の上側の限られたスペースに設置しやすくなり、天井パネル４の上側の設置作業をより簡略することができるという良さもある。さらに、スプリンクラー配管１６内の定流量弁４８を簡単に取り替えることができるので、スプリンクラー配管１６の流量範囲を設定しやすいという良さもある。尚、定流量弁４８の代わりにスプリンクラー配管１６内の流路抵抗を高めることでスプリンクラー配管１６の流量を下げる流路抵抗部（例えば、絞り部等）であっても良く、簡易な構成で長いスプリンクラー配管１６以外のスプリンクラー配管１６の流量を減少させることができる。
【００３８】
また、図５に示すように、本発明の変形例である水道連結型のスプリンクラー装置３０は、滞留水防止手段４２が、長いスプリンクラー配管１６以外のスプリンクラー配管１６に設けられ、当該スプリンクラー配管１６の流量を定期的に止める流量停止手段５０であることによって、長いスプリンクラー配管１６に水道水を優先的に流すように構成している。この構成によって、スプリンクラー配管１６以外のスプリンクラー配管１６の流量を定期的に止め、長いスプリンクラー配管１６に水道水がより確実に流れるようになり、スプリンクラー配管１６内の水道水が滞留することをより防止することができるようになる。尚、流量停止手段５０は、長いスプリンクラー配管１６に水道水を優先的に流すものであれば、長いスプリンクラー配管１６以外のスプリンクラー配管１６に少なくとも１つ以上設けられるものでもよい。また、流量停止手段５０は、複数のスプリンクラー配管１６のすべてに設けられるものであっても、長いスプリンクラー配管１６以外の流量を定期的に止め、長いスプリンクラー配管１６に水道水を優先的に流せればよい。
【００３９】
例えば、複数のスプリンクラー配管１６に流量停止手段５０としての電磁弁を設け、供給配管４０の途上に圧力センサー５２または流量センサー５４を設け、制御部５６にて電磁弁の制御を行う場合、便器等の給水装置５８を使用した際に、圧力センサー５２または流量センサー５４が感知して、この感知した信号に基づいて定期的に、長いスプリンクラー配管１６の電磁弁のみを開とし、それ以外のスプリンクラー配管１６の電磁弁は閉とする。
【００４０】
図６に示すように、本発明の変形例である水道連結型のスプリンクラー装置３０は、滞留水防止手段４２が、長いスプリンクラー配管１６に設けられ、当該スプリンクラー配管１６の流量を強制的に増加させる増圧ポンプ等の流量増加手段であることによって、長いスプリンクラー配管１６に水道水を優先的に流すように構成している。この構成によって、長いスプリンクラー配管１６に水道水がより確実に流れるようになり、スプリンクラー配管１６内の水道水が滞留することをより防止することができるようになる。
【符号の説明】
【００４１】
１        固定構造
２        スプリンクラー本体
４        天井パネル
６、７    野縁
８        開口
１０      固定装置
１２      取付け部材
１４      スプリンクラーヘッド
１６      スプリンクラー配管
１８      配管接続部（停滞水防止継手）
２０      ホース
２２      貫通孔
２４      さや管
２６      接続ポート
２８      保温カバー
２９      配管作業箇所
３０      スプリンクラー装置
３２      水道管
３４      分配ヘッダー
３６      集約ヘッダー
３８      吐水部
４０      供給配管
４２      滞留水防止手段
４４      流量減少手段
４６      開度調整弁
４８      定流量弁
５０      流量停止手段
５２      圧力センサー
５４      流量センサー
５６      制御部
５８      給水装置
６０      流量増加手段
【図１】
2013075122.tif 000003
【図２】
2013075122.tif 000004
【図３】
2013075122.tif 000005
【図４】
2013075122.tif 000006
【図５】
2013075122.tif 000007
【図６】
2013075122.tif 000008